(57)【要約】【課題】スピニングリールのロータにおいて、カバー部材を固定するための締結部材が、カバー部材の外方側やロータアームの内方側に露出しないようにする。【解決手段】ロータ３は、円筒部３０と、円筒部３０の側方に互いに対向して設けられた第１ロータアーム３１及び第２ロータアーム３２と、第１ロータアーム３１及び第２ロータアーム３２の外方を覆うように第１ロータアーム３１及び第２ロータアーム３２の外側面に装着される第１カバー部材３５及び第２カバー部材３６とを有している。第２カバー部材３６は、第２ロータアーム３２に第２ベール支持部材４２を装着したときに第２ベール支持部材４２によって覆われる第２ロータアーム３２の内側面に取り付けられる締結部材３９によって固定される。【選択図】図３
2009022167.tif 000002
【特許請求の範囲】
【請求項１】
スピニングリールのリール本体に回転自在に装着され、釣り糸をスプールに巻き付けるスピニングリールのロータであって、
前記リール本体の先端部に回転自在に装着される円筒部と、
前記円筒部の後端部の外周面の対向する位置から前記円筒部と間隔を隔ててそれぞれ前方に延びる１対のロータアームと、
前記両ロータアームの先端にそれぞれ揺動自在に装着され、少なくとも一方が前記ロータアームの内側面に装着される釣り糸案内用の１対のベール支持部材と、
前記ロータアームの一方の外方を覆うように前記ロータアームの外側面に装着されるカバー部材と、
前記ベール支持部材によって覆われる前記ロータアームの内側面に取り付けられ、前記カバー部材を前記ロータアームに固定するための締結部材と、
を備えたスピニングリールのロータ。
【請求項２】
前記カバー部材は、前記締結部材が係合可能な被係合部を内側部に有し、
前記締結部材は、前記被係合部に係合する係合部と、前記係合部の基端部に前記係合部より大径に形成された頭部とを有している、請求項１に記載のスピニングリールのロータ。
【請求項３】
前記被係合部は、雌ねじ部であり、
前記係合部は、前記雌ねじ部に螺合する雄ねじ部である、請求項２に記載のスピニングリールのロータ。
【請求項４】
前記ロータアームの内側面と前記ベール支持部材との間に介装され、前記ベール支持部材によって覆われる内側面に前記締結部材の前記頭部を収納可能な収納凹部を有するシート部材をさらに備えている、請求項２又は３に記載のスピニングリールのロータ。
【請求項５】
前記カバー部材は、内周部に前記雌ねじ部が形成され、前記ベール支持部材側に突出する突出部をさらに有している、請求項３又は４に記載のスピニングリールのロータ。
【請求項６】
前記ベール支持部材によって覆われる領域は、前記ベール支持部材の前記ロータアームに対する回転中心と前記ロータアームの先端部とを結んだ直線を半径とした円形の領域である、請求項１から５のいずれか１項に記載のスピニングリールのロータ。
【請求項７】
前記カバー部材が装着される前記ロータアームは、前記ベール支持部材を反転させるトグル機構が取り付けられる第１ロータアームである、請求項１から６のいずれか１項に記載のスピニングリールのロータ。
【請求項８】
前記カバー部材が装着される前記ロータアームは、前記ベール支持部材を反転させるトグル機構が取り付けられない第２ロータアームである、請求項１から７のいずれか１項に記載のスピニングリールのロータ。
【発明の詳細な説明】
【技術分野】
【０００１】
本発明は、スピニングリールのロータ、特に、リール本体に回転自在に装着されスプールに釣り糸を案内して巻き付けるスピニングリールのロータに関する。
【背景技術】
【０００２】
スピニングリールは、一般に、釣竿に装着されるリール本体と、リール本体に回転自在に装着された釣り糸案内用のロータと、ロータにより案内された釣り糸を巻き取るスプールとを有している。ロータは、ロータ本体と、ロータ本体に揺動自在に装着されたベールアームとを有している。ロータ本体は、リール本体に回転自在に装着された円筒部と、円筒部の後端部から径方向外方に延びる対向して配置された第１ロータアーム及び第２ロータアームとを有している。両ロータアームは、円筒部の後端部に対向して配置された第１接続部及び第２接続部、及び各接続部から屈曲し円筒部と間隔を隔ててそれぞれ前方に延びる第１アーム部及び第２アーム部とを有している。円筒部は、後端部に他の部分より大径のリング状の大径部を有しており、大径部の外周面の対向する位置で１対の接続部が径方向外方に延びている。
【０００３】
ベールアームは、釣り糸をスプールに案内するものであり、第１アーム部の先端に揺動自在に装着された第１ベール支持部材と、第２アーム部の先端に揺動自在に装着された第２ベール支持部材と、第１ベール支持部材の先端に回動自在に装着されたラインローラと、ラインローラと第２ベール支持部材とを連結する線材製のベールとを有している。
【０００４】
この種のロータおいて、第１接続部及び第２接続部の回転方向の長さを長くするとともに、第１アーム部及び第２アーム部の少なくともいずれかに開口を形成したものが知られている。このように両接続部の回転方向の長さを長くすることにより、両ロータアームの回転方向の剛性を高く維持できる。また、アーム部に開口を設けることにより、ロータの軽量化を図ることができるとともに斬新な意匠を提供できる。このような開口部を有するロータが搭載されたスピニングリールにおいて、開口を有するアーム部の径方向外方をカバー部材で覆うことが従来行われている（たとえば、特許文献１参照）。このようなカバー部材は、ロータアームの外方側から装着され、ビス等の締結部材を外方側から装着することによって、カバー部材をロータアームに固定するようになっている。
【特許文献１】特開２００３−２２５０３８号公報
【発明の開示】
【発明が解決しようとする課題】
【０００５】
前記従来のカバー部材が装着されるロータでは、ビス等の締結部材をカバー部材の外方側から装着することによって、カバー部材をロータアームに固定するようになっているので、締結部材の頭部や、締結部材の頭部が収納される収納凹部がカバー部材の外方側に露出してしまい、このため、釣り糸が締結部材の頭部に絡まったり、海水から析出される塩や釣り餌や砂や塵芥等の異物が収納凹部に詰まり固着してしまうおそれがある。また、締結部材の頭部がカバー部材の外方側に露出させる構成にすると、リール外観の意匠性が低下するおそれがある。
【０００６】
そこで、締結部材をロータアームの内方側から装着することが考えられるが、この場合にも、締結部材の頭部や、締結部材の頭部が収納される収納凹部がロータアームの内方側に露出してしまうので、締結部材をカバー部材の外方側から装着した場合と同様の不具合が発生するともに、締結部材の装着部分がロータアームの円筒部に近接した部分に配置されるために、締結部材を円筒部に近接したロータアームの内側から装着するのは、非常に困難であり、カバー部材の取り付けに手間がかかるおそれが生じる。
【０００７】
本発明の課題は、スピニングリールのロータにおいて、カバー部材を固定するための締結部材が、カバー部材の外方側やロータアームの内方側に露出しないようにすることにある。
【課題を解決するための手段】
【０００８】
発明１に係るスピニングリールのロータは、スピニングリールのリール本体に回転自在に装着され釣り糸をスプールに巻き付けるスピニングリールのロータであって、リール本体の先端部に回転自在に装着される円筒部と、円筒部の後端部の外周面の対向する位置から円筒部と間隔を隔ててそれぞれ前方に延びる１対のロータアームと、両ロータアームの先端にそれぞれ揺動自在に装着され少なくとも一方がロータアームの内側面に装着される釣り糸案内用の１対のベール支持部材と、ロータアームの一方の外方を覆うようにロータアームの外側面に装着されるカバー部材と、ベール支持部材によって覆われるロータアームの内側面に取り付けられカバー部材をロータアームに固定するための締結部材とを備えている。
【０００９】
このロータでは、カバー部材は、ロータアームにベール支持部材を装着したときにベール支持部材によって覆われるロータアームの内側面に取り付けられる締結部材によって固定されるようになっている。ここでは、締結部材がベール支持部材によって覆われる構成になっているので、締結部材がカバー部材の外方側やロータアームの内方側に露出しなくなる。したがって、従来のように締結部材の頭部や、締結部材の頭部が収納される収納凹部がカバー部材の外方側やロータアームの内方側に露出していたときに生じる不具合を解消することができる。
【００１０】
発明２に係るロータは、発明１のロータにおいて、カバー部材は、締結部材が係合可能な被係合部を内側部に有している。締結部材は、被係合部に係合する係合部と、係合部の基端部に係合部より大径に形成された頭部とを有している。この場合、被係合部に係合部をねじ止めしたり弾性係止したりすることで、簡素な構成で、カバー部材を強固に固定できる。
【００１１】
発明３に係るロータは、発明２のロータにおいて、被係合部は、雌ねじ部であり、係合部は、雌ねじ部に螺合する雄ねじ部である。すなわち、カバー部材は、締結部材が螺合可能な雌ねじ部を内側面に有し、締結部材は、雌ねじ部に螺合する雄ねじ部と、雄ねじ部の基端部に雄ねじ部より大径に形成された頭部とを有している。この場合、雌ねじ部に雄ねじ部を螺合させるだけで、カバー部材を強固に固定できる。
【００１２】
発明４に係るロータは、発明２又は３のロータにおいて、ロータアームの内側面とベール支持部材との間に介装され、ベール支持部材によって覆われる内側面に締結部材の頭部を収納可能な収納凹部を有するシート部材をさらに備えている。この場合、シート部材とカバー部材とでロータアームを挟持することになるので、カバー部材をロータアームに直接固定する場合に比して、カバー部材の固定が強固になる。さらに、この場合、シート部材に締結部材の頭部を完全に収納する収納凹部を設けることにより、ベール支持部材側を加工することなく、締結部材の頭部がベール支持部材に干渉するのを防止できる。
【００１３】
発明５に係るロータは、発明３又は４のロータにおいて、カバー部材は、内周部に雌ねじ部が形成され、ベール支持部材側に突出する突出部をさらに有している。この場合、カバー部材に雌ねじ部を有する突出部を設けることによって、カバー部材の厚みが薄い場合でも、雌ねじ部の軸方向長さを十分に確保できる。
【００１４】
発明６に係るロータは、発明１から５のいずれかのロータにおいて、ベール支持部材によって覆われる領域は、ベール支持部材のロータアームに対する回転中心とロータアームの先端部とを結んだ直線を半径とした円形の領域である。この場合、円形の領域内に締結部材が収納可能な収納凹部を配置することにより、締結部材がベール支持部材に確実に覆われるようになる。
【００１５】
発明７に係るロータは、発明１から６のいずれかのロータにおいて、カバー部材が装着されるロータアームは、ベール支持部材を反転させるトグル機構が取り付けられる第１ロータアームであ。この場合、カバー部材はベール支持部材である第１ベール支持部材によって覆われる第１ロータアームの内側面に取り付けられる締結部材によって固定されるので、締結部材がカバー部材の外方側に露出しなくなる。
【００１６】
発明８に係るロータは、発明１から７のいずれかのロータにおいて、カバー部材が装着されるロータアームは、ベール支持部材を反転させるトグル機構が取り付けられない第２ロータアームである。この場合、カバー部材はベール支持部材である第２ベール支持部材によって覆われる第２ロータアームの内側面に取り付けられる締結部材によって固定されるので、締結部材が第２ロータアームの内方側に露出しなくなる。
【発明の効果】
【００１７】
本発明によれば、スピニングリールのロータにおいて、カバー部材は、ロータアームにベール支持部材を装着したときにベール支持部材によって覆われるロータアームの内側面に取り付けられる締結部材によって固定される構成になっているので、締結部材がカバー部材の外方側やロータアームの内方側に露出しなくなる。
【発明を実施するための最良の形態】
【００１８】
〔全体構成及びリール本体の構成〕
本発明の一実施形態を採用したスピニングリールは、図１及び図２に示すように、ハンドル１と、ハンドル１を回転自在に支持するリール本体２と、ロータ３と、スプール４とを主に備えている。ロータ３はリール本体２の前部に回転自在に支持されている。スプール４は、釣り糸を外周面に巻き取るものであり、ロータ３の前部に前後移動自在に配置されている。
【００１９】
ハンドル１は、Ｔ字状の把手部１ａと、先端に把手部１ａが回転自在に装着されたＬ字状のクランクアーム１ｂとを有している。
【００２０】
リール本体２は、図１及び図２に示すように、側部に開口を有するリールボディ２ａと、リールボディ２ａから斜め上前方に一体で延びるＴ字状の竿取付脚２ｂとを有している。リールボディ２ａは、図２に示すように、内部に機構装着用の空間を有しており、その空間内には、ロータ３をハンドル１の回転に連動して回転させるロータ駆動機構５と、スプール４を前後移動させて釣り糸を均一に巻き取るためのオシレーティング機構６とが設けられている。
【００２１】
スプール４は、図１及び図２に示すように、後述するロータ３の第１ロータアーム３１及び第２ロータアーム３２の間に配置されており、このスプール４の中心部がスプール軸１５の先端部にドラグ機構６０（図２参照）を介して連結されている。
【００２２】
ロータ駆動機構５は、図２に示すように、ハンドル１が回転不能に装着されたハンドル軸１０と、ハンドル軸１０とともに回転するマスターギア１１と、このマスターギア１１に噛み合うピニオンギア１２とを有している。ハンドル軸１０の両端は軸受を介してリール本体２に回転自在に支持されている。ハンドル軸１０の両端にはねじ方向及び径が異なる雌ねじ部がそれぞれ形成されており、両雌ねじ部にハンドル１が回転不能に装着可能である。
【００２３】
ピニオンギア１２は筒状に形成されており、ピニオンギア１２の前部はロータ３の中心部を貫通しており、ナット３３によりロータ３と固定されている。そして、ピニオンギア１２の軸方向の中間部と後端部とが、それぞれ軸受を介してリール本体２に回転自在に支持されている。
【００２４】
オシレーティング機構６はスプール４を前後方向に移動させるための機構である。オシレーティング機構６は、図２に示すように、スプール軸１５の略直下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００２５】
〔ロータの構成〕
ロータ３は、図２に示すように、ピニオンギア１２に固定された円筒部３０と、円筒部３０の側方に互いに対向して設けられた第１ロータアーム３１及び第２ロータアーム３２と、釣り糸をスプール４に案内するための釣り糸案内機構としてのベールアーム３４と、第１ロータアーム３１及び第２ロータアーム３２の外方を覆うように第１ロータアーム３１及び第２ロータアーム３２の外側面に装着される第１カバー部材３５及び第２カバー部材３６（本願発明のカバー部材の一例）とを有している。円筒部３０と第１ロータアーム３１及び第２ロータアーム３２とは、たとえばアルミニウム合金製であり、一体成形されている。円筒部３０の先端中心部分が前述したようにナット３３によりピニオンギア１２の先端部に回転不能に固定されている。ベールアーム３４は、第１ロータアーム３１及び第２ロータアーム３２の先端にそれぞれ揺動自在に装着された第１ベール支持部材４０及び第２ベール支持部材４２を有している。第１ロータアーム３１は、ベールアーム３４を反転させる図示しないトグル機構が取り付けられており、第２ロータアーム３２は、ベールアーム３４を反転させるトグル機構が取り付けられていない。第２カバー部材３６は、第２ロータアーム３２に第２ベール支持部材４２を装着したときに第２ベール支持部材４２によって覆われる第２ロータアーム３２の内側面に取り付けられる締結部材３９によって固定される。また、ロータ３は、図２及び図３に示すように、第２カバー部材３６が装着される第２ロータアーム３２の内側面と第２ベール支持部材４２との間に介装され、第２ロータアーム３２に第２ベール支持部材４２を装着したときに第２ベール支持部材４２によって覆われる内側面に締結部材３９が外方に突出しないように取り付けられる第２シート部材３８（本願発明のシート部材の一例）をさらに備えている。なお、ここでは、第１カバー部材３５側には、第２シート部材３８に相当するシート部材は設けられていない。
【００２６】
第２カバー部材３６は、図３及び図４に示すように、内側面に形成され、締結部材３９が螺合可能な雌ねじ部３６ｂと、内周部に雌ねじ部３６ｂが形成され第２ロータアーム３２に装着したときに第２ベール支持部材４２側に突出する突出部３６ａとを有している。締結部材３９は、図３及び図７に示すように、雌ねじ部３６ｂに螺合する雄ねじ部３９ｂと、雄ねじ部３９ｂの先端部に雄ねじ部３９ｂより大径に形成され雄ねじ部３９ｂに向けて縮径する頭部３９ａとを有している。第２シート部材３８は、図３及び図６に示すように、締結部材３９の頭部３９ａを収納可能な貫通孔３８ａを有している。
【００２７】
このような第２カバー部材３６を第２ロータアーム３２の外側に装着してから、第２ベール支持部材４２を第２ロータアーム３２の内側に装着するまでの工程を、図４から図８に示す。
【００２８】
まず、図４に示す第２カバー部材３６を、突出部３６ａが第２ロータアーム３２の外側に対向するように突出部３６ａ側を内側にした状態で第２ロータアーム３２の外側から第２ロータアーム３２の貫通孔３２ａに第２カバー部材３６の突出部３６ａを装着する。ここで、第２ロータアーム３２の貫通孔３２ａの直径と、第２カバー部材３６の突出部３６ａの外径とは、図３及び図５に示すように、略同一となるように形成されている。また、第２ロータアーム３２の厚みと、第２カバー部材３６の突出部３６ａの高さとは、図３に示すように、略同一となるように形成されている。このため、第２ロータアーム３２の貫通孔３２ａに第２カバー部材３６の突出部３６ａを装着したとき、突出部３６ａの先端部が第２ロータアーム３２の内側面と略面一となっており、突出部３６ａの先端部が第２ロータアーム３２の内側面より内側に突出しないようになっている。また、第２カバー部材３６の外形は、第２ロータアーム３２の貫通孔３２ａに第２カバー部材３６の突出部３６ａを装着したとき、第２ロータアーム３２の外形に沿った形状となっており、第２ロータアーム３２の貫通孔３２ａの中心と、第２カバー部材３６の突出部３６ａの中心とは、図３及び図５に示すように、同心となるように形成されている。また、第２カバー部材３６の突出部３６ａに形成された雌ねじ部３６ｂは、第２ロータアーム３２の貫通孔３２ａに第２カバー部材３６の突出部３６ａを装着したとき、第２ロータアーム３２の内側に露出するようになっている。第２カバー部材３６の雌ねじ部３６ｂは、図３、図５、図７及び図８に示すように、締結部材３９の雄ねじ部３９ｂが螺合可能な雌ねじである。また、図８に示すように、第２ロータアーム３２に第２ベール支持部材４２を装着したときに第２ベール支持部材４２によって覆われる領域は、第２ベール支持部材４２の第２ロータアーム３２に対する回転中心と第２ロータアーム３２の先端部とを結んだ直線を半径とした円形の領域であって、このため、締結部材３９の頭部３９ａは第２ベール支持部材４２によって常に覆われるようになっている。このことは、すなわち、第２ロータアーム３２の貫通孔３２ａ、第２カバー部材３６の突出部３６ａ及び雌ねじ部３６ｂが、第２ベール支持部材４２の第２ロータアーム３２に対する回転中心と第２ベール支持部材４２の先端部とを結んだ直線を半径とした円形の領域に完全に含まれるような位置に配置されていることによるものである。なお、第２シート部材３８の貫通孔３８ａも同様に、第２ベール支持部材４２の第２ロータアーム３２に対する回転中心と第２ベール支持部材４２の先端部とを結んだ直線を半径とした円形の領域に完全に含まれるような位置に配置されているので、締結部材３９の頭部３９ａが第２ロータアーム３２に第２ベール支持部材４２を装着したときに第２ベール支持部材４２によって覆われるようになっている。
【００２９】
次に、図５に示すように、第２ロータアーム３２の外側に第２カバー部材３６が装着されると、図６に示すように、第２ロータアーム３２の内側に第２シート部材３８が装着される。第２シート部材３８の軸方向長さは、図６に示すように、第２ロータアーム３２の軸方向長さより短くなっており、また、図８に示すように、第２ベール支持部材４２を第２ロータアーム３２揺動させたときの第２ベール支持部材４２の軸方向長さより長くなっている。第２シート部材３８は、図３及び図６に示すように、締結部材３９の頭部３９ａが収納可能に縮径した貫通孔３８ａが形成されている。すなわち、第２シート部材３８の貫通孔３８ａの内側の直径は、第２シート部材３８の貫通孔３８ａの外側の直径より大径となるように形成されており、締結部材３９の雄ねじ部３９ｂに向けて縮径する締結部材３９の頭部３９ａの外形形状と略同一となるように形成されている。また、第２シート部材３８の厚みと、締結部材３９の頭部３９ａの厚みとは、図３、図７及び図８に示すように、略同一となるように形成されている。このため、第２シート部材３８の貫通孔３８ａに締結部材３９の頭部３９ａを装着したとき、頭部３９ａが第２シート部材３８の内側面と略面一となっており、頭部３９ａが第２シート部材３８の内側面より内側に突出しないようになっている。また、第２シート部材３８の貫通孔３８ａの中心は、図３及び図６に示すように、第２ロータアーム３２に第２シート部材３８を装着したとき、第２ロータアーム３２の貫通孔３２ａの中心や、第２カバー部材３６の突出部３６ａの中心と、同心となるように形成されている。また、第２カバー部材３６の突出部３６ａに形成された雌ねじ部３６ｂは、第２ロータアーム３２に第２シート部材３８を装着したとき、第２シート部材３８の内側に露出するようになっている。
【００３０】
次に、図６に示すように、第２ロータアーム３２の外側に第２カバー部材３６が装着され、第２ロータアーム３２の内側に第２シート部材３８が装着されると、図７に示すように、第２シート部材３８の内側から締結部材３９が装着され、この締結部材３９によって第２ロータアーム３２に第２カバー部材３６が固定される。具体的には、図３に示すように、締結部材３９の雄ねじ部３９ｂを第２シート部材３８の内側から第２カバー部材３６の突出部３６ａに形成された雌ねじ部３６ｂに螺合させ、締結部材３９の頭部３９ａが第２シート部材３８の貫通孔３８ａに完全に接触するまで締め付けることにより、第２シート部材３８と第２カバー部材３６とで第２ロータアーム３２を挟持することで、第２ロータアーム３２に第２カバー部材３６が固定される。そして、図８に示すように、第２ロータアーム３２の内側に第２ベール支持部材４２を装着すると、第２ベール支持部材４２を任意の位置に揺動させても、締結部材３９の頭部３９ａは、第２ベール支持部材４２に完全に覆われる。
【００３１】
ベールアーム３４は、図２に示すように、第１ロータアーム３１及び第２ロータアーム３２の先端に、糸案内姿勢と糸開放姿勢との間で揺動自在に装着されている。ベールアーム３４は、第１ロータアーム３１及び第２ロータアーム３２の先端にそれぞれ揺動自在に装着された第１ベール支持部材４０及び第２ベール支持部材４２を有している。第１ベール支持部材４０は第１ロータアーム３１の外側に揺動自在に装着され、第２ベール支持部材４２は第２ロータアーム３２の内側に揺動自在に装着されている。ベールアーム３４は、図２に示すように、第１ベール支持部材４０及び第２ベール支持部材４２を連結するベール４１と、第１ベール支持部材４０に先端が固定された固定軸４３と、固定軸４３に支持されたラインローラ４４と、固定軸４３を覆う固定軸カバー４６とをさらに有している。ここでは、固定軸カバー４６、ベール４１及び第２ベール支持部材４２の外形が滑らかに連続するようにステンレス合金により一体成形されている。ベール４１は、図２に示すように、第２ベール支持部材４２及び固定軸カバー４６に両端が固定された針金状のステンレス合金製部材であり、スプール４の周方向外方に凸に湾曲して配置されている。ベール４１は、ベールアーム３４が糸開放姿勢から糸案内姿勢に復帰したときに釣り糸をラインローラ４４に導くためのものである。ベール４１は、図２に示すように、固定軸カバー４６と一体成形されている。固定軸４３は、図２に示すように、固定軸カバー４６と別体で形成されたボルト形状の部材である。固定軸４３は、固定軸カバー４６装着側から第１ベール支持部材４０側に向かって延びており、先端が固定ボルトにより固定されている。
【００３２】
このようなロータ３では、第２カバー部材３６は、第２ロータアーム３２に第２ベール支持部材４２を装着したときに第２ベール支持部材４２によって覆われる第２ロータアーム３２の内側面に取り付けられる締結部材３９によって固定されるようになっている。ここでは、締結部材３９の頭部３９ａが第２ベール支持部材４２によって完全に覆われる構成になっているので、締結部材３９の頭部３９ａが第２カバー部材３６の外方側に露出しなくなる。したがって、従来のように締結部材の頭部や、締結部材の頭部が収納される収納凹部がカバー部材の外方側に露出していたときに生じる不具合を解消できる。
【００３３】
〔他の実施形態〕
（ａ）  前記実施形態では、フロントドラグ型のスピニングリールを例に説明したが、リアドラグ型のスピニングリールやドラグを有さないスピニングリールやレバードラグ型のスピニングリール等の任意のスピニングリールに本発明を適用できる。
【００３４】
（ｂ）  前記実施形態では、第２ベール支持部材４２、第２ロータアーム３２、第２シート部材３８、第２カバー部材３６に本発明を適用したが、図９及び図１０に示すように、第１ベール支持部材４０、第１ロータアーム３１、第１シート部材３７、第１カバー部材３５に本発明を適用してもよい。図９及び図１０に示す第１ベール支持部材４０は、第１ロータアーム３１の内側に装着され、第１シート部材３７が設けられている構成以外は、前記実施形態と同様であるので、詳細な説明は省略する。
【００３５】
ロータ３は、図９に示すように、ピニオンギア１２に固定された円筒部３０と、円筒部３０の側方に互いに対向して設けられた第１ロータアーム３１及び第２ロータアーム３２と、釣り糸をスプール４に案内するための釣り糸案内機構としてのベールアーム３４と、第１ロータアーム３１及び第２ロータアーム３２の外方を覆うように第１ロータアーム３１及び第２ロータアーム３２の外側面に装着される第１カバー部材３５（他の実施形態のカバー部材の一例）及び第２カバー部材３６とを有している。円筒部３０と第１ロータアーム３１及び第２ロータアーム３２とは、たとえばアルミニウム合金製であり、一体成形されている。円筒部３０の先端中心部分が前述したようにナット３３によりピニオンギア１２の先端部に回転不能に固定されている。第１カバー部材３５は、第１ロータアーム３１に第１ベール支持部材４０を装着したときに第１ベール支持部材４０によって覆われる第１ロータアーム３１の内側面に取り付けられる締結部材３９によって固定される。また、ロータ３は、図９及び図１０に示すように、第１カバー部材３５が装着される第１ロータアーム３１の内側面と第１ベール支持部材４０との間に介装され、第１ロータアーム３１に第１ベール支持部材４０を装着したときに第１ベール支持部材４０によって覆われる内側面に締結部材３９が内方に突出しないように取り付けられる第１シート部材３７（他の実施形態のシート部材の一例）をさらに備えている。
【００３６】
第１カバー部材３５は、図９及び図１０に示すように、内側面に形成され、締結部材３９が螺合可能な雌ねじ部３５ｂと、内周部に雌ねじ部３５ｂが形成され第１ロータアーム３１に装着したときに第１ベール支持部材４０側に突出する突出部３５ａとを有している。締結部材３９は、図１０に示すように、雌ねじ部３５ｂに螺合する雄ねじ部３９ｂと、雄ねじ部３９ｂの先端部に雄ねじ部３９ｂより大径に形成され雄ねじ部３９ｂに向けて縮径する頭部３９ａとを有している。第１シート部材３７は、図１０に示すように、締結部材３９の頭部３９ａを収納可能な貫通孔３７ａを有している。
【００３７】
このようなロータ３では、第１カバー部材３５は、第１ロータアーム３１に第１ベール支持部材４０を装着したときに第１ベール支持部材４０によって覆われる第１ロータアーム３１の内側面に取り付けられる締結部材３９によって固定されるようになっている。ここでは、締結部材３９の頭部３９ａが第１ベール支持部材４０によって完全に覆われる構成になっているので、締結部材３９の頭部３９ａが第１ロータアーム３１の内方側に露出しなくなる。したがって、従来のように締結部材の頭部や、締結部材の頭部が収納される収納凹部がカバー部材の外方側に露出していたときに生じる不具合を解消できる。
【００３８】
（ｃ）  前記実施形態では、第２ロータアーム３２の内側面と第２ベール支持部材４２との間に第２シート部材３８を設けていたが、図１１に示すように、シート部材を設けないで第２カバー部材３６を第２ロータアーム３２に直接固定する構成してもよい。なお、ここでは、前記実施形態の貫通孔３８ａに相当する貫通孔３２ｂを第２ロータアーム３２に設けている。
【００３９】
（ｄ）  前記実施形態では、締結部材３９は、頭部３９ａ及び雄ねじ部３９ｂを有するねじ部材であったが、締結部材として、たとえば先端部に弾性変形可能な係合突起（図示せず）を有する合成樹脂製のピン部材（図示せず）を設け、ピン部材に形成された係合突起を、第２カバー部材３６に形成された係合凹部（図示せず）に弾性係合させる構成にしてもよい。
【図面の簡単な説明】
【００４０】
【図１】本発明の一実施形態を採用したスピニングリールの側面図。
【図２】前記スピニングリールの側面断面図。
【図３】第２ロータアーム周辺の側面拡大断面図。
【図４】第２カバー部材の斜視図。
【図５】前記第２ロータアームに前記第２カバー部材を装着したときの斜視図。
【図６】前記第２ロータアームに第２シート部材を装着したときの斜視図。
【図７】前記第２カバー部材に締結部材を装着したときの斜視図。
【図８】前記第２シート部材に前記第２ベール支持部材を装着したときの斜視図。
【図９】他の実施形態の図２に相当する図。
【図１０】他の実施形態の第１ロータアーム周辺の側面拡大断面図。
【図１１】他の実施形態の図３に相当する図。
【符号の説明】
【００４１】
３  ロータ
３０  円筒部
３１  第１ロータアーム
３１ａ  貫通孔
３２  第２ロータアーム
３２ａ  貫通孔
３４  ベールアーム
３５  第１カバー部材
３５ａ  突出部
３５ｂ  雌ねじ部
３６  第２カバー部材
３６ａ  突出部
３６ｂ  雌ねじ部
３７  第１シート部材
３７ａ  貫通孔
３８  第２シート部材
３８ａ  貫通孔
３９  締結部材
３９ａ  頭部
３９ｂ  雄ねじ部
４０  第１ベール支持部材
４１  ベール
４２  第２ベール支持部材
４３  固定軸
４４  ラインローラ
【図１】
2009022167.tif 000003
【図２】
2009022167.tif 000004
【図３】
2009022167.tif 000005
【図４】
2009022167.tif 000006
【図５】
2009022167.tif 000007
【図６】
2009022167.tif 000008
【図７】
2009022167.tif 000009
【図８】
2009022167.tif 000010
【図９】
2009022167.tif 000011
【図１０】
2009022167.tif 000012
【図１１】
2009022167.tif 000013